(57)【要約】【課題】飲料等の設定を行う際に簡単な操作で各種設定が可能な表示装置を提供する。【解決手段】第１階層目のメニューを触れたと同時に、その触れた箇所の傍らに第２階層目のメニューを表示し、そのままなぞっていくことで第２階層目を選択でき、また第３階層目以降も同様に選択された前階層目のメニューの傍らに表示することで、また同様に第３階層目以降もなぞって選択することが可能なので、店員は一度に複数のメニューを素早く連続に選択し、お客様を待たせることなく飲料を提供することができる。【選択図】図５
2017134835.tif 000002
【特許請求の範囲】
【請求項１】
表示部と、
前記表示部に表示される複数の画像を記憶する記憶部と、
前記表示部に表示される前記複数の画像の少なくとも１つを選択するための入力操作が行われる入力部と、
前記入力部における前記入力操作に基づき、前記複数の画像から、前記表示部に表示させる画像を少なくとも１つ選択するとともに、選択された前記少なくとも１つの画像を、前記表示部に表示させる制御部とを備え、
前記記憶部には、複数の階層と、前記複数の階層それぞれに設定される複数の項目とを有するメニュー情報がさらに記憶されており、
前記複数の画像は、前記メニュー情報の前記複数の階層それぞれに設定される前記複数の項目それぞれに対応する画像を有し、
前記制御部は、前記メニュー情報の前記複数の階層の内、第ｎの階層（ｎは自然数）に設定される前記複数の項目からいずれかの項目が選択されたと判定したとき、前記第ｎの階層において選択された前記項目に対応する前記画像を、選択された状態であること示す態様で前記表示部に表示させるとともに、前記表示部において、前記第ｎの階層において選択された前記項目に対応する前記画像の周囲に、前記第ｎの階層よりも下位の階層の前記複数の項目それぞれに対応する前記画像を表示させるよう構成された表示装置。
【請求項２】
前記第ｎの階層よりも下位の前記階層が、前記複数の階層のうちの第ｎ＋１の階層である場合、前記制御部が、前記第ｎ＋１の階層の前記複数の項目それぞれに対応する前記画像のうちいずれかの画像が選択されたと判定したとき、選択された前記画像が、前記制御部により、選択された状態であることを示す態様で前記表示部に表示されるとともに、前記第ｎ＋１の階層で選択された前記画像の周囲に、前記第ｎ＋１の階層よりも下位の階層である第ｎ＋２の階層の前記複数の項目それぞれに対応する前記画像がさらに表示されるよう構成された請求項１に記載の表示装置。
【請求項３】
前記制御部が、前記入力部における前記入力操作により、前記複数の階層の内の前記第ｎの階層に設定される前記複数の項目それぞれに対応する前記画像のうちいずれかの画像が選択されたと判定したとき、選択された前記画像が、前記制御部により、選択された状態であることを示す態様で前記表示部に表示されるとともに、前記表示部において、前記第ｎの階層において選択された前記画像の周囲に、前記第ｎの階層よりも下位の階層である前記第ｎ＋２の階層の前記複数の項目それぞれに対応する前記画像が表示され、
前記制御部が、前記第ｎ＋２の階層の前記複数の項目それぞれに対応する前記画像のうちいずれかの画像が選択されたと判定したとき、前記第ｎ＋１の階層の所定の項目が前記制御部により自動的に選択されるとともに、前記所定の項目に対応する前記画像が前記表示部に表示されるよう構成されている請求項１に記載の表示装置。
【請求項４】
前記制御部により自動的に選択される前記第ｎ＋１の階層の前記所定の項目は、予め設定されて前記記憶部に記憶されている請求項３に記載の表示装置。
【請求項５】
前記制御部により自動的に選択される前記第ｎ＋１の階層の前記所定の項目は、前記第ｎの階層において選択された前記画像に対応する前記項目と、前記第ｎ＋２の階層において選択された前記画像に対応する前記項目とに対応付けられて、予め設定されて前記記憶部に記憶されている請求項４に記載の表示装置。
【請求項６】
前記第ｎの階層よりも下位の階層の前記複数の項目それぞれに対応する前記画像が、複数のページに分けられて前記記憶部に記憶され、前記複数のページのそれぞれは、前記入力部における所定の入力操作により、前記表示部に表示されるページが切り替えられて、前
記表示部に表示されるよう構成された請求項１に記載の表示装置。
【請求項７】
前記入力部の前記入力操作により選択されたと前記制御部が判定した前記項目に対応する前記画像と、前記入力部の前記入力操作により選択されていないと前記制御部が判定した前記項目に対応する前記画像とは、前記制御部により、互いに異なった形態で前記表示部に表示されるよう構成された請求項１〜６のいずれか１項に記載の表示装置。
【請求項８】
前記複数の項目それぞれに対応する前記画像は、アイコン又はメッセージで前記表示部に表示され、
前記第ｎの階層において前記複数の項目から選択された前記項目に対応する前記アイコン又はメッセージは、前記第ｎの階層よりも下位の階層の前記複数の項目の前記アイコン又はメッセージの前記画像の少なくとも一部と、前記表示部において、近接又は接触して表示される請求項１〜６のいずれか１項に記載の表示装置。
【請求項９】
表示部と、前記表示部に表示される複数の画像を記憶する記憶部と、前記表示部に表示される前記複数の画像の少なくとも１つを選択するための入力操作が行われる入力部と、前記入力部における前記入力操作に基づき、前記複数の画像から、前記表示部に表示させる画像を少なくとも１つ選択するとともに、選択された前記少なくとも１つの画像を、前記表示部に表示させる制御部とを備え、
前記記憶部には、複数の階層と、前記複数の階層それぞれに設定される複数の項目とを有するメニュー情報がさらに記憶されており、前記複数の画像は、前記メニュー情報の前記複数の階層それぞれに設定される前記複数の項目それぞれに対応する画像を有する表示装置の表示方法であり、
前記メニュー情報の前記複数の階層のうち、第ｎの階層（ｎは自然数）に設定される前記複数の項目それぞれに対応する前記画像を前記表示部に表示するステップと、
前記表示部に表示される、前記第ｎの階層の前記複数の項目それぞれに対応する前記画像のうち、前記入力部における前記入力操作により選択された前記画像を、選択された状態であること示す態様で前記表示部に表示するステップと、
選択された前記画像の周囲に、前記第ｎの階層よりも下位の階層の前記複数の項目それぞれに対応する前記画像を表示するステップと
を有する表示装置の表示方法。
【請求項１０】
前記第ｎの階層よりも下位の前記階層が、前記複数の階層のうちの第ｎ＋１の階層の場合、
前記表示部において、前記第ｎ＋１の階層で選択された前記項目に対応する前記画像の周囲に、前記第ｎ＋１の階層よりも下位の階層である第ｎ＋２の階層の前記複数の項目それぞれに対応する前記画像を表示するステップをさらに有する請求項９に記載の表示装置の表示方法。
【請求項１１】
前記第ｎ＋２の階層に設定される前記複数の項目それぞれに対応する前記画像のうち、いずれかの前記画像が選択されたとき、前記第ｎ＋１の階層の所定の項目を自動的に前記表示部に表示するステップをさらに有する請求項１０に記載の表示装置の表示方法。
【請求項１２】
前記第ｎの階層で選択された前記項目に対応する前記画像の周囲に、前記第ｎの階層より下位の階層である第ｎ＋１の階層に設定される前記複数の項目それぞれに対応する前記画像を表示するステップと、
前記第ｎ＋１の階層の前記複数の項目それぞれに対応する前記画像を、複数のページに分けて表示させ、前記入力部における所定の入力操作に基づいて、前記複数のページを切り替え表示するステップと、
をさらに有する請求項９に記載の表示装置の表示方法。
【発明の詳細な説明】
【技術分野】
【０００１】
本開示は、複数の階層からなるメニューを表示可能な表示装置及び表示装置の表示方法に関する。
【背景技術】
【０００２】
現在、ファミリーレストラン等の飲食店では、使用者が複数の原料の選択肢から好みの原料を選択し、自由に組み合わせて吐出させることが可能な飲料吐出装置が置かれている。
【０００３】
このような飲料吐出装置では、例えば、コーラとレモンとを混ぜ合わせてレモン風味のコーラを作製したり、コーラとバニラとを混ぜ合わせてバニラ風味のコーラを作製したり、コーラをベースに複数種類の飲料を作製することが可能である。
【０００４】
また、このような飲料吐出装置に関する技術が公開特許公報で数多く提案されている。
【０００５】
例えば、特許文献１では、カクテルを作るための操作手順が表示装置に表示される飲料吐出装置が公開されている。
【先行技術文献】
【特許文献】
【０００６】
【特許文献１】特開２０１４−４５７２１号公報
【発明の概要】
【発明が解決しようとする課題】
【０００７】
特許文献１に記載の技術では、カクテルの作製手順が表示部に表示されるため、使用者が操作方法を把握することが可能ではあるものの、操作を行うための形状の異なるアイコンが複数あるため、初めて使用する使用者にとっては、操作に戸惑う可能性がある。
【０００８】
本発明の目的は、使用者が容易に操作可能な表示装置及び表示装置の表示方法を提供することにある。
【課題を解決するための手段】
【０００９】
本開示は、複数の種類のメニューから使用者が所望のメニューを選択し、選択された複数のメニューを使用者が自由に組み合わせて所望の組み合わせを得るための入力操作が容易な表示装置及び表示装置の表示方法を提供する。
【発明の効果】
【００１０】
本発明の表示装置及び表示装置の表示方法では、使用者が、必要な設定をできるだけ簡単な操作で行うことができる。
【図面の簡単な説明】
【００１１】
【図１】図１は、本開示の実施の形態１〜７の表示装置を備えた飲料吐出装置の斜視図である。
【図２】図２は、本実施形態における飲料吐出装置のブロック図である。
【図３】図３は、本開示の実施の形態１の表示装置における第１の階層のアイコンを示す図である。
【図４】図４は、本開示の実施の形態１の表示装置における第２の階層のアイコンを示す図である。
【図５】図５は、本開示の実施の形態１の表示装置における第３の階層のアイコンを示す図である。
【図６】図６は、本開示の実施の形態１の表示装置における飲料吐出準備画面を示す図である。
【図７】図７は、本開示の実施の形態１の表示装置における飲料吐出中画面を示す図である。
【図８】図８は、本開示の実施の形態１の表示装置における飲料吐出完了画面を示す図である。
【図９】図９は、本開示の実施の形態１〜７の表示装置を備えた飲料吐出装置の動作を示すフロー図である。
【図１０】図１０は、本開示の実施の形態２の表示装置のタッチパネルの表示画面を示す図である。
【図１１】図１１は、本開示の実施の形態３の表示装置のタッチパネルの表示画面を示す図である。
【図１２】図１２は、本開示の実施の形態４の表示装置のタッチパネルの表示画面を示す図である。
【図１３】図１３は、本開示の実施の形態５の表示装置のタッチパネルの表示画面を示す図である。
【図１４】図１４は、本開示の実施の形態５の表示装置のタッチパネルの別の表示画面を示す図である。
【図１５】図１５は、本開示の実施の形態６の表示装置のタッチパネルの表示画面を示す図である。
【図１６】図１６は、本開示の実施の形態７の表示装置のタッチパネルの表示画面を示す図である。
【発明を実施するための形態】
【００１２】
本開示は、複数の種類のメニューから使用者が所望のメニューを選択し、選択された複数のメニューを使用者が自由に組み合わせて所望の組み合わせを得るための入力操作が容易な表示装置及び表示装置の表示方法を提供する。
【００１３】
具体的には、本開示の実施の形態の一例による表示装置は、表示部と、表示部に表示される複数の画像を記憶する記憶部と、表示部に表示される複数の画像の少なくとも１つを選択するための入力操作が行われる入力部とを備える。さらに、本開示の実施の形態の一例による表示装置は、入力部における入力操作に基づき、複数の画像から、表示部に表示させる画像を少なくとも１つ選択するとともに、選択された少なくとも１つの画像を、表示部に表示させる制御部を備える。記憶部には、複数の階層と、複数の階層それぞれに設定される複数の項目とを有するメニュー情報が、さらに記憶されている。複数の画像は、メニュー情報の複数の階層それぞれに設定される複数の項目それぞれに対応する画像を有する。制御部は、複数の階層の内の第ｎの階層（ｎは自然数）において、第ｎの階層に設定される複数の項目のうちいずれかの項目が選択されたと判定したとき、第ｎの階層において選択された項目に対応する画像を、第ｎの階層において選択された項目が選択された状態であること示す態様で表示部に表示させる。また、制御部は、表示部において、第ｎの階層において選択された項目に対応する画像の周囲に、第ｎの階層よりも下位の階層の複数の項目それぞれに対応する画像を表示させるよう構成されている。
【００１４】
このような構成により、使用者が、複数の階層のメニューから所望の項目を選択し、選択された複数の項目を自由に組み合わせて所望の組み合わせを得るための入力操作を、表示装置において行う際、設定操作の手間及び時間を削減することができ、入力操作が容易
に行われることが可能となる。また、このような構成により、使用者が次に選択する内容（項目）が、迅速に且つ分かりやすく表示部に表示されるため、使用者が次に選択する内容（項目）を簡単に認識することが可能となる。
【００１５】
以下、本発明の実施の形態の例を、図面を参照しながら説明する。なお、以下の実施の形態によって本発明が限定されるものではない。
【００１６】
本開示の実施の形態の一例による表示装置は、表示部と、表示部に表示される複数の画像を記憶する記憶部と、表示部に表示される複数の画像の少なくとも１つを選択するための入力操作が行われる入力部とを備える。さらに、本開示の実施の形態の一例による表示装置は、入力部における入力操作に基づき、複数の画像から、表示部に表示させる画像を少なくとも１つ選択するとともに、選択された少なくとも１つの画像を、表示部に表示させる制御部を備える。記憶部には、複数の階層と、複数の階層それぞれに設定される複数の項目とを有するメニュー情報が、さらに記憶されている。複数の画像は、メニュー情報の複数の階層それぞれに設定される複数の項目それぞれに対応する画像を有する。制御部は、複数の階層の内の第ｎの階層（ｎは自然数）において、第ｎの階層に設定される複数の項目のうちいずれかの項目が選択されたと判定したとき、第ｎの階層において選択された項目に対応する画像を、第ｎの階層において選択された項目が選択された状態であること示す態様で表示部に表示させる。また、制御部は、表示部において、第ｎの階層において選択された項目に対応する画像の周囲に、第ｎの階層よりも下位の階層の複数の項目それぞれに対応する画像を表示させるよう構成されている。
【００１７】
このような構成により、使用者が、複数の階層のメニューから所望の項目を選択し、選択された複数の項目を自由に組み合わせて所望の組み合わせを得るための入力操作を、表示装置において行う際、設定操作の手間及び時間を削減することができ、入力操作が容易に行われることが可能となる。また、このような構成により、使用者が次に選択する内容（項目）が、迅速に且つ分かりやすく表示部に表示されるため、使用者が次に選択する内容（項目）を簡単に認識することが可能となる。
【００１８】
また、本開示の実施の形態の一例による表示装置は、第ｎの階層よりも下位の階層が、複数の階層の内の第ｎ＋１の階層の場合、制御部が、第ｎ＋１の階層の複数の項目それぞれに対応する画像のうちいずれかの画像が選択されたと判定したとき、選択された画像が、制御部により、選択された状態であることを示す態様で表示部に表示されるよう構成されていてもよい。さらに、本開示の実施の形態の一例による表示装置は、第ｎ＋１の階層で選択された画像の周囲に、第ｎ＋１の階層よりも下位の階層である第ｎ＋２の階層の複数の項目それぞれに対応する画像がさらに表示されるよう構成されていてもよい。
【００１９】
このような構成により、使用者が複数の階層のメニューから所望の項目を選択し、選択された複数の項目を使用者が自由に組み合わせて所望の組み合わせを得るための入力操作において、使用者による各種設定の操作の手間及び時間を削減し、使用者が入力操作を容易に行うことが可能となる。また、このような構成により、使用者が次に選択する内容（項目）が、迅速に且つ分かりやすく表示部に表示されるため、使用者が次に選択する内容（項目）を簡単に認識することが可能となる。
【００２０】
また、本開示の実施の形態の一例による表示装置は、制御部が、入力部における入力操作により、複数の階層のうちの第ｎの階層に設定される複数の項目それぞれに対応する画像のうちいずれかの画像が選択されたと判定したとき、選択された画像が、制御部により、選択された状態であることを示す態様で表示部に表示されるよう構成されていてもよい。また、また、本開示の実施の形態の一例による表示装置は、制御部により、表示部において、第ｎの階層において選択された画像の周囲に、第ｎの階層よりも下位の階層である
第ｎ＋２の階層の複数の項目それぞれに対応する画像が表示されよう構成されていてもよい。さらに、本開示の実施の形態の一例による表示装置は、制御部が、入力部における入力操作により、第ｎ＋２の階層の複数の項目それぞれに対応する画像のうちいずれかの画像が選択されたと判定したとき、第ｎ＋１の階層の所定の項目が、制御部により、自動的に選択されるとともに、所定の項目に対応する画像が、表示部に表示されるよう構成されていてもよい。この場合、第ｎ＋１の階層の所定の項目は、第ｎ＋２の階層で選択された画像に対応する項目に対応付けられて予め設定され、記憶部に記憶されていてもよい。
【００２１】
このような構成により、使用者が少ない操作で所望の項目を選択することができるため、入力操作の手間及び時間を短縮させることができる。また、これにより、使用者が設定等の入力操作を容易に行うことが可能となる。さらに、このような構成により、使用者は、次に選択する内容（項目）を迅速かつ簡単に認識することが可能となる。
【００２２】
また、本開示の実施の形態の一例による表示装置は、制御部により自動的に選択される第ｎ＋１の階層の所定の項目が、予め設定されて記憶部に記憶されていてもよい。
【００２３】
このような構成により、使用者は少ない操作で所望の項目を選択することができる。これにより、複数の項目から所望の項目を選択し、選択された項目を組み合わせて所望の組み合わせを得るための入力操作の手間及び時間を短縮させることができる。
【００２４】
また、本開示の表示装置は、制御部により自動的に選択される第ｎ＋１の階層の所定の項目が、第ｎの階層において選択された画像に対応する項目と、第ｎ＋２の階層において選択された画像に対応する項目とに対応付けられて予め設定され、記憶部に記憶されていてもよい。
【００２５】
このような構成により、使用者が各階層で入力操作を行う必要がなく、第ｎ＋１の階層における項目の選択の入力操作を省くことができる。なお、省略される階層は、第ｎ＋１の階層に限られず、他の階層において設定されてもよい。これにより、使用者は、少ない入力操作で複数の項目の組み合わせを選択することができる。従って、複数の項目から所望の項目を選択し、選択された項目を組み合わせて所望の組み合わせを得るための入力操作の手間及び時間を短縮することができる。
【００２６】
また、本開示の実施の形態の一例による表示装置は、第ｎの階層よりも下位の階層の前記複数の項目それぞれに対応する画像が、複数のページに分けられて記憶部に記憶され、複数のページのそれぞれは、入力部における所定の入力操作により、表示部に表示されるページが切り替えられて、表示部に表示されるよう構成されていてもよい。
【００２７】
このような構成により、１つの階層において表示可能な項目数が多い場合でも、表示部に表示させる複数の項目を有する複数のページの各ページを、簡単に且つ素早く切替えて表示させることが可能となる。これにより、１つの階層の複数の項目の項目数が多い場合でも、使用者は簡単な操作で迅速に複数の項目に対応する画像のすべてを、限られた領域を有する表示部で、認識することが可能となる。また、複数の項目から所望の項目を選択し、選択された項目を組み合わせて所望の組み合わせを得るための入力操作の手間及び時間を短縮させることができる。
【００２８】
また、本開示の実施の形態の一例による表示装置は、入力部における入力操作により選択されたと制御部が判定した項目に対応する画像と、選択されていないと制御部が判定した項目に対応する画像とが、制御部により、互いに異なった形態で表示部に表示されるよう構成されていてもよい。
【００２９】
このような構成により、使用者が表示部において選択可能な項目がどれであるかを容易に判断できる。従って、使用者が設定等の操作を容易に行うことが可能となる。
【００３０】
また、本開示の実施の形態の一例による表示装置は、複数の項目それぞれに対応する画像が、アイコン又はメッセージで表示部に表示されるよう構成されていてもよい。さらに、本開示の実施の形態の一例による表示装置は、第ｎの階層において複数の項目から選択された項目に対応するアイコン又はメッセージは、第ｎの階層よりも下位の階層の複数の項目のアイコン又はメッセージの画像の少なくとも一部と、表示部において、近接又は接触して表示されるよう構成されていてもよい。
【００３１】
このような構成により、使用者は、複数の階層それぞれに設定される複数の項目から、選択された項目、及び、選択対象となる項目を、表示部において、迅速かつ簡単に認識することが可能となる。これにより、使用者は、複数の階層の複数の項目から所望の項目を選択する際の入力操作を容易かつ迅速に行うことが可能となる。
【００３２】
また、本開示の実施の形態の一例による表示装置の表示方法に係る表示装置は、表示部と、表示部に表示される複数の画像を記憶する記憶部と、表示部に表示される複数の画像の少なくとも１つを選択するための入力操作が行われる入力部とを備えている。本開示の実施の形態の一例による表示装置の表示方法に係る表示装置は、さらに、入力部における入力操作に基づき、複数の画像から、表示部に表示させる画像を少なくとも１つ選択するとともに、選択された少なくとも１つの画像を、表示部に表示させる制御部とを備える。また、本開示の実施の形態の一例による表示装置の表示方法に係る表示装置においては、記憶部には、複数の階層と、複数の階層それぞれに設定される複数の項目とにより構成されるメニュー情報がさらに記憶されており、複数の画像は、メニュー情報の複数の階層それぞれに設定される複数の項目それぞれに対応する画像を有する。  本開示の実施の形態の一例による表示装置の表示方法は、このように構成された表示装置において、メニュー情報の複数の階層のうち、第ｎの階層（ｎは自然数）に設定される複数の項目それぞれに対応する画像を前記表示部に表示するステップを有する。また、本開示の実施の形態の一例による表示装置の表示方法は、表示部に表示される、第ｎの階層の複数の項目それぞれに対応する画像のうち、入力部における入力操作により選択された画像を、選択された状態であること示す態様で表示部に表示するステップを有する。さらに、本開示の実施の形態の一例による表示装置の表示方法は、選択された画像の周囲に、第ｎの階層よりも下位の階層の複数の項目それぞれに対応する画像を表示するステップを有する。
【００３３】
このような方法により、使用者が、複数の階層のメニューから所望の項目を選択し、選択された複数の項目を自由に組み合わせて所望の組み合わせを得るための入力操作において、使用者による設定等のための入力操作の手間及び時間を削減し、入力操作を容易に行うことが可能となる。また、使用者は、表示部において、次に選択する内容（項目）を迅速かつ簡単に認識することが可能となる。
【００３４】
また、本開示の実施の形態の一例による表示装置の表示方法は、第ｎの階層よりも下位の階層が、複数の階層のうちの第ｎ＋１の階層の場合、表示部において、第ｎ＋１の階層で選択された項目に対応する画像の周囲に、第ｎ＋１の階層よりも下位の階層である第ｎ＋２の階層の複数の項目それぞれに対応する画像を表示するステップをさらに有していてもよい。
【００３５】
このような方法により、使用者は、表示部において、次に選択する項目を迅速かつ簡単に認識することが可能となり、使用者が設定等の入力操作を容易にかつ迅速に行うことが可能となる。
【００３６】
また、本開示の実施の形態の一例による表示装置の表示方法は、第ｎ＋２の階層に設定される複数の項目それぞれに対応する画像のうち、いずれかの画像が選択されたとき、第ｎ＋１の階層の所定の項目を自動的に表示部に表示するステップをさらに有していてもよい。
【００３７】
このような方法により、使用者は少ない入力操作で所望の項目を選択することができるため、複数の階層の複数の項目から所望の項目を選択する入力操作の手間及び時間を短縮させることができる。
【００３８】
また、本開示の実施の形態の一例による表示装置の表示方法は、第ｎの階層で選択された項目に対応する画像の周囲に、第ｎの階層より下位の階層である第ｎ＋１の階層に設定される複数の項目それぞれに対応する画像を表示するステップと、第ｎ＋１の階層の複数の項目それぞれに対応する画像を、複数のページに分けて表示させ、入力部における所定の入力操作に基づいて、複数のページを切り替えて表示部に表示するステップとをさらに有していてもよい。
【００３９】
このような方法により、表示部に表示させる複数の項目を有する複数のページを、簡単に且つ素早く切替えて表示部に表示させることが可能となる。これにより、１つの階層の複数の項目の項目数が多い場合でも、使用者は簡単な操作で迅速に複数の項目に対応する画像のすべてを、限られた領域を有する表示部で、認識することが可能となる。また、このような方法により、複数の項目から所望の項目を選択し、選択された項目を組み合わせて所望の組み合わせを得るための入力操作の手間及び時間を短縮させることができる。
【００４０】
（実施の形態１）
図１は、本開示の実施の形態１〜７の表示装置を備えた飲料吐出装置の外観図である。本開示の実施の形態１〜７の表示装置１００を備えた飲料吐出装置１は、図１に示すように、複数種類の飲料シロップを有する筐体２に、飲料吐出口３とカップを置くための受け皿４とが設けられている。また、筐体２上部には、飲料メニューの表示を行う表示装置１００が設けられている。
【００４１】
表示装置１００は、飲料メニューの選択に関わる複数の画像を表示する表示部と、表示部に表示される複数の画像を記憶する記憶部７と、表示部に表示される複数の画像の少なくとも１つを選択するための入力操作が行われる入力部とを有する。入力部及び表示部は、別個に形成されていてもよいし、タッチパネルなどのように、入力部及び表示部の両方の機能を備えた一体のものとして形成されていてもよい。
【００４２】
なお、本実施の形態では、タッチパネル５が、入力部及び表示部の両方の機能を備えている。従って、本開示において、タッチパネル５において入力操作が行われるというように記載されている場合は、表示装置１００の入力部において入力操作が行われることを意味し、タッチパネル５において表示されるというように記載されている場合は、表示装置１００の表示部に表示されることを意味する。
【００４３】
本実施の形態の表示装置１００は、さらに、入力部における入力操作に基づき、複数の画像から、表示部に表示させる画像を少なくとも１つ選択するとともに、選択された少なくとも１つの画像を、表示部に表示させる制御部６を有する。
【００４４】
本実施の形態の表示装置１００を備えた飲料吐出装置１は、図１に示すように、使用者が、受け皿４の上にカップを設置し、表示装置１００のタッチパネル５にて飲料メニューを選択し飲料の吐出の指示を行うと、選択された飲料が飲料吐出口３から吐出されるように構成されている。
【００４５】
本実施の形態の表示装置１００は、使用者が表示装置１００のタッチパネル５において、タッチパネル５に表示される複数の画像の少なくとも１つに触れる等の入力操作を行うことにより、飲料メニュー及びカップサイズ等の複数の項目を組み合わせて、所望の飲料を作製するための項目を選択することができるよう構成されている。具体的には、本実施の形態の表示装置１００は、例えば、「ベース飲料」及び「混ぜ合わせる風味」などの複数の飲料メニューの階層、並びに、「カップサイズ」などの階層のそれぞれにおいて、所望の項目、例えば、「ベース飲料」としてコーラ、「混ぜ合わせる風味」としてレモン、及び、「カップサイズ」としてＭサイズカップという項目がそれぞれ選択されることができるよう構成されている。そして、本実施の形態の表示装置１００を備えた飲料吐出装置１は、使用者が表示装置１００のタッチパネル５において、所望の項目に対応する画像を選択することにより、使用者の好きなカップサイズで、使用者の好みの飲料が提供されるよう構成されている。
【００４６】
本実施の形態の表示装置１００において、記憶部７には、複数の階層と、複数の階層それぞれに設定される複数の項目とを有するメニュー情報が、さらに記憶されている。また、記憶部７に記憶される複数の画像は、メニュー情報の複数の階層それぞれに設定される複数の項目それぞれに対応する画像を有する。例えば、複数の階層のうちの第１の階層として、ベース飲料メニューが設定される。そして、第１の階層には、第１の階層の複数の項目として、ベース飲料メニューとなる、コーラ、サイダー、紅茶、ルートビア、烏龍茶及びトニックウォータ等が設定される。
【００４７】
また、複数の階層のうちの第２の階層としては、例えば、ベース飲料メニューに混ぜ合わせる風味メニューが設定される。第２の階層には、第２の階層の複数の項目として、混ぜ合わせる風味メニューとなる、グレープ、レモン及びオレンジ等が設定される。
【００４８】
更に、複数の階層のうちの第３の階層として、例えば、カップサイズが設定される。第３の階層には、第３の階層の複数の項目として、例えば、Ｓサイズ、Ｍサイズ及びＬサイズ等が設定される。
【００４９】
なお、本実施の形態では、第１の階層に対して、第２の階層及び第３の階層を下位の階層と称し、第３の階層に対して、第２の階層及び第１の階層を上位の階層と称している。
【００５０】
また、階層は、第１の階層〜第３の階層に限定されるものではなく、第ｎの階層（ｎは自然数）設けられていてもよい。なお、第ｎの階層より下位の階層は、第ｎ+１の階層及び第ｎ+２の階層などと表される。
【００５１】
図２は、本開示の実施の形態１〜７における表示装置を備えた飲料吐出装置の内部構成を示すブロック図である。図２において、制御部６は、例えば、ＣＰＵ（Ｃｅｎｔｒａｌ
Ｐｒｏｃｅｓｓｉｎｇ  Ｕｎｉｔ）等のマイクロコンピュータからなり、表示装置１００の動作の制御を司るとともに、飲料吐出装置１の各回路の制御を司る。
【００５２】
表示装置１００のタッチパネル５は、例えば、静電式或いは圧力式のタッチパネルで構成され、使用者の入力操作を受け付ける入力部の機能を有するとともに、使用者により入力された情報に基づき、文字及び絵等の画像を表示する表示部の機能を有する。
【００５３】
表示装置１００の記憶部７は、例えばフラッシュメモリのような不揮発性メモリで構成され、制御部６で実行されるソフトウエア及び各種パラメータ等の情報を記憶する。また、記憶部７は、上述したように、複数の階層、及び、複数の階層それぞれに設定される複数の項目を有するメニュー情報を記憶する。具体的には、例えば、複数の階層として、第
１の階層のベース飲料メニュー、第２の階層の混ぜ合わせる風味メニュー及び第３の階層のカップサイズ等のメニュー情報を記憶する。また、複数の項目として、第１の階層のベース飲料メニューに設定されるコーラ及びサイダー等の項目、第２の階層の混ぜ合わせる風味メニューに設定されるグレープ及びレモン等の項目、並びに、第３の階層のカップサイズに設定されるＳサイズ及びＭサイズ等の項目を記憶する。さらに、記憶部７は、後述する、各項目に対応するアイコンの情報及びタッチパネル５に表示させる各種メッセージの情報、及び、デフォルトで設定される所定の項目及び画像なども記憶する。
【００５４】
なお、図２に示す飲料供給部９は、飲料等を排出するためのポンプ等からなる。また、図２に示す供給制御部８は、飲料供給部９を制御するための回路であり、制御部６と同様に、例えば、ＣＰＵ等のマイクロコンピュータで構成される。なお、制御部６と供給制御部８とは、１つの半導体素子で形成されていてもよい。
【００５５】
次に、図３〜図８を用いて、表示装置１００の表示部であるタッチパネル５に表示される画面について説明する。
【００５６】
図３は、本開示の実施の形態１の表示装置１００における第１の階層のアイコンを示す図であり、図４は、本開示の実施の形態１の表示装置１００における第２の階層のアイコンを示す図である。図５は、本開示の実施の形態１の表示装置１００における第３の階層のアイコンを示す図であり、図６は、本開示の実施の形態１の表示装置１００における飲料吐出準備画面を示す図である。図７は、本開示の実施の形態１の表示装置１００における飲料吐出中画面を示す図であり、図８は、本開示の実施の形態１の表示装置１００における飲料吐出完了画面を示す図である。
【００５７】
まず、本実施の形態の表示装置１００において、初期状態では、タッチパネル５には、初期画面として、第１の階層の複数の項目それぞれに対応する画像（以下、単に、複数の項目に対応する画像という場合がある）が表示されている。具体的には、図３に示すように、第１の階層のベース飲料メニューの複数の項目それぞれに対応する画像であるアイコンが表示されており、コーラアイコン１０、サイダーアイコン１１、紅茶アイコン１２、ルートビアアイコン１３、烏龍茶アイコン１４及びトニックウォータアイコン１５が表示されている。なお、画像は、アイコンに限られず、文字、記号、絵又はそれらの組み合わせなどでもよい。
【００５８】
なお、第１の階層の複数の項目に対応する画像が表示されている画面に、第２の階層以降の各階層の複数の項目の情報などを、さらに表示させてもよい。例えば、表示装置１００のタッチパネル５の画面下端に、第２の階層の混ぜ合わせる風味メニューの複数の項目であるレモン及びグレープ等の混ぜることが可能な風味の情報が、文字等で表示されるよう構成されていてもよい。このような構成により、使用者は、第２の階層以降の階層で選択する必要がある項目が存在するか否か、及び、第２の階層以降の階層で選択する対象となる項目の情報を、第１の階層の複数の項目に対応する画像が表示されている画面において、一目で認識することができる。
【００５９】
使用者が、表示装置１００のタッチパネル５において、図３に示すような、第１の階層のベース飲料メニューの複数の項目それぞれに対応するアイコン（画像）のうち、いずれかのアイコンに触れると、使用者が触れたアイコンは、制御部６により、選択された状態であることを示す態様で表示部に表示される。例えば、使用者が、表示装置１００のタッチパネル５において、コーラアイコン１０に触れ、そのままタッチパネル５から指を放さずにいるという入力操作を行うと、制御部６は、コーラアイコン１０が選択されたと判定する。図４に、使用者がコーラアイコン１０に触れて指を放さないまま保持した場合のタッチパネル５に表示されるアイコンを示す。図４に示すように、例えば、使用者がコーラ
アイコン１０に触れてそのまま指を放さずにいるという入力操作を行うと、コーラアイコン１０は、選択された状態であることを示す態様として、コーラアイコン１０の枠が点滅して表示される（図４では、破線により点滅を表現している）。このように、選択されたアイコンを、選択された状態であることを示す態様で、表示部に表示させる理由は、選択されたアイコンがどれであるかを使用者が視覚的に分かるようにするためである。
【００６０】
そして、制御部６により、表示装置１００のタッチパネル５において、選択された項目に対応する画像であるコーラアイコン１０の周囲に、第２の階層の混ぜ合わせる風味メニューの複数の項目に対応する画像（アイコン（グレープアイコン１７、レモンアイコン１８及びオレンジアイコン１９））が表示される。具体的には、図４に示すように、円形のコーラアイコン１０の周囲に、円形のグレープアイコン１７、レモンアイコン１８及びオレンジアイコン１９が、コーラアイコン１０に近接又は接触して表示される。
【００６１】
なお、タッチパネル５に表示される図４に示すような画面において、第１の階層で選択された項目に対応する画像（コーラアイコン１０）、及び、第２の階層の複数の項目に対応する画像（グレープアイコン１７、レモンアイコン１８及びオレンジアイコン１９）以外の表示部分を、黒色又は灰色等で暗く或いは薄く表示させてもよい。例えば、選択された第１の階層のコーラアイコン１０と、第２の階層の複数の項目であるグレープアイコン１７、レモンアイコン１８並びにオレンジアイコン１９以外の部分、すなわち、第１の階層において選択されなかった項目である、サイダー、紅茶、ルートビア、烏龍茶及びトニックウォータのアイコン（図３参照）を、黒色及び灰色等で暗く或いはコントラストを薄く表示させてもよい。
【００６２】
このように、使用者により選択された項目に対応する画像と、選択されていない項目に対応する画像とで態様を異ならせて表示部（タッチパネル５）に表示させるのは、使用者が選択可能な項目がどれであるかを容易に判断できるようにするためである。
【００６３】
このような構成及び表示方法により、本実施の形態では、第１の階層のコーラアイコン１０及び第２の階層の混ぜ合わせる風味メニューの複数の項目に対応するアイコンが、選択されていない第１の階層のアイコンと重なって表示されても、使用者が選択可能な項目がどれであるかを容易に判断できる。
【００６４】
本実施の形態の表示装置１００では、使用者により選択された項目を、選択されている状態であることを示す態様として、選択されたアイコンの枠を点滅させている。しかし、選択されている状態を示す態様はこの限りではない。例えば、アイコンのサイズ又は色等を変更することで、選択されたアイコンを強調させてもよい。
【００６５】
続いて、使用者が、表示装置１００のタッチパネル５（入力部）において、コーラアイコン１０に触れた状態で指をグレープアイコン１７までなぞるという入力操作を行うと、制御部６により、タッチパネル５には、図５に示すように、第３の階層のカップサイズの複数の項目それぞれに対応する画像がアイコンで表示される。本実施の形態の表示装置１００では、円形のＳサイズアイコン２２、Ｍサイズアイコン２３及びＬサイズアイコン２４が、グレープアイコン１７の周囲に、例えばグレープアイコン１７に近接或いは接触して、表示される。このとき、グレープアイコン１７の枠も点滅表示され、選択された状態であることを示す態様でタッチパネル５に表示される。
【００６６】
なお、表示装置１００において、第２の階層の複数の項目に対応する画像を選択する際、図５に示すように、使用者がタッチパネル５において指でなぞって指を放さないまま保持するという入力操作を行うことにより、選択されたと制御部６により判定されたアイコンが、選択された状態であることを示す態様でタッチパネル５に表示される。しかし、こ
の時点ではアイコンの選択は確定されず、そのまま使用者がタッチパネル５をなぞりなおすという入力操作を行うことにより、再度、アイコンの選択を行うことができる。
【００６７】
例えば、使用者が、表示装置１００のタッチパネル５において、コーラアイコン１０からグレープアイコン１７まで指でなぞった後、そのまま指をタッチパネル５から放さずに、続けてレモンアイコン１８まで指を動かした場合、制御部６は、レモンアイコン１８が選択されたと判定する。このとき、レモンアイコン１８の枠は、制御部６により、点滅表示され、すなわち、選択された状態であることを示す態様で表示される。一方、グレープアイコン１７の枠は点滅表示されない。
【００６８】
第３の階層においても、第２の階層における入力操作と同様の入力操作により、複数の項目それぞれに対応する画像（アイコン）から、いずれかの画像が選択されることができる。すなわち、使用者が、表示装置１００のタッチパネル５において、第２の階層の複数の項目に対応する画像の一つであるグレープアイコン１７に触れた指で、そのまま第３の階層の複数の項目に対応する画像（アイコン）のいずれかの画像、例えば、Ｍサイズアイコン２３までなぞるという入力操作を行うことにより、制御部６は、Ｍサイズアイコン２３が選択されたと判定する。図６に、使用者が第３の階層のＭサイズアイコン２３までなぞった状態の表示装置１００のタッチパネル５の表示画面を示す。
【００６９】
本実施の形態の表示装置１００では、第３の階層の次に表示される第４の階層の複数の項目がない。このような場合、使用者が、第３の階層のカップサイズメニューのＭサイズアイコン２３に触れ、表示装置１００のタッチパネル５から一度指を放した後に、再度、Ｍサイズアイコン２３に触れるという入力操作を行うと、図６に示すように、タッチパネル５には、制御部６により、飲料吐出方法メッセージ２５（例えば、「再度押して飲料を吐出」）が表示される。そして、使用者が、タッチパネル５（入力部）において、飲料吐出方法メッセージ２５を触れるという入力操作を行うと、入力部における入力操作に基づき、制御部６が、飲料吐出装置１の飲料供給部９から飲料を吐出させる。使用者がＭサイズアイコン２３から指を放した後は、図６に示すような画面の状態が維持される。このとき、使用者が、入力部において、初期画面に戻るための入力操作を行うことにより、表示装置１００の表示部に、予め設定された初期画面が表示される。本実施の形態では、表示装置１００のタッチパネル５のアイコンが表示されていない部分を触れることにより、タッチパネル５に、図３に示すような、第１の階層の複数の項目に対応する画像が表示された画面（初期画面）が表示される。
【００７０】
また、飲料吐出装置１において飲料が吐出されるまでは、使用者が第２の階層及び第３の階層の少なくとも一方の複数の項目に対応する画像（アイコン）に触れることにより、既に選択されたアイコンとは異なる、第２の階層及び第３の階層の少なくとも一方の複数の項目に対応するアイコンが選択されることも可能である。
【００７１】
本実施の形態の表示装置１００では、使用者が、タッチパネル５において、既に選択された第３の階層のアイコン（例えば、Ｍサイズアイコン２３）から一度指を放し、再度同じアイコン（Ｍサイズアイコン２３）に触れるという入力操作を行うことにより、タッチパネル５に飲料吐出方法メッセージ２５が表示される。使用者が、飲料吐出方法メッセージ２５に従い、再度同じアイコン（Ｍサイズアイコン２３）を触れるという入力操作を行うことにより、飲料吐出装置１において飲料の吐出が行われる。なお、表示装置１００における飲料吐出の操作方法は、これに限られない。例えば、表示装置１００のタッチパネル５における全く別の箇所に、飲料吐出を行うためのボタン等を表示させる方法でもよい。或いは、表示装置１００において、タッチパネル５とは別に、ハードボタンが設けられて、使用者がこのハードボタンを押下することで飲料吐出が行われる方法でもよい。
【００７２】
使用者が、飲料吐出方法メッセージ２５に従い、Ｍサイズアイコン２３に再度触れるという入力操作を行うことにより、飲料吐出装置１が飲料吐出状態に移行した際の、表示装置１００のタッチパネル５の表示を図７に示す。
【００７３】
制御部６が、飲料吐出装置１の飲料供給部９を制御することにより、飲料吐出装置１において飲料の吐出を開始させると、図７に示すように、表示装置１００のタッチパネル５における飲料吐出方法メッセージ２５は、制御部６により、吐出中メッセージ２６に変更される。また、表示装置１００のタッチパネル５に表示されるアイコン（画像）は、コーラアイコン１０、グレープアイコン１７及びＭサイズアイコン２３の３種類だけとなる。これらのアイコンは、既に使用者により選択され、確定されたアイコンであるため、全てのアイコンの枠が点滅表示されている。
【００７４】
図８は、飲料吐出装置１において飲料の吐出が終了した際に、表示装置１００のタッチパネル５が、吐出完了メッセージ２７を表示している状態を示している。
【００７５】
表示装置１００の表示部（本実施の形態では、タッチパネル５）は、制御部６により、図８に示すような吐出完了メッセージ２７を表示した後、所定の時間後（例えば数秒後）に、予め設定された初期画面を自動的に表示する。本実施の形態の表示装置１００においては、表示部であるタッチパネル５は、制御部６により、所定の時間後（例えば数秒後）に、図３に示すような第１の階層の複数の項目に対応する画像が表示された初期画面を自動的に表示する。
【００７６】
なお、飲料吐出方法メッセージ２５、吐出中メッセージ２６及び吐出完了メッセージ２７等、タッチパネル５に表示される各種メッセージは、記憶部７に記憶されている。
【００７７】
本実施の形態の表示装置１００は、飲料吐出装置１における飲料吐出後に、制御部６により、表示装置１００のタッチパネル５の表示が、第１の階層の複数の項目に対応する画像が表示された画面（初期画面）に戻されるよう構成されているが、飲料吐出後の表示装置１００の動作は、これに限られない。例えば、設定によっては、表示装置１００のタッチパネル５において、吐出された飲料のために選択された項目に対応する画像が、選択された状態を示す態様で、タッチパネル５に表示された状態が維持されてもよい（すなわち、タッチパネル５の表示は、自動的に初期画面に戻されない）。或いは、使用者がタッチパネル５の他の表示領域に触れたとき、制御部６により、タッチパネル５の表示が予め設定された初期画面に戻されてもよい。
【００７８】
このようにして、使用者が表示装置１００の入力部（本実施の形態では、タッチパネル５）において所定の入力操作、例えば、上述したような、指で画像（アイコン）に触れてそのまま指を入力部から放さずに他の画像までなぞる等の動作による入力操作を行うことにより、簡単且つ迅速に複数のメニューを選択することが可能となる。これにより、複数の階層における複数の項目から所望の項目を選択し、選択した項目を組み合わせて所望の組み合わせを得るための入力操作の時間を短縮させることができる。
【００７９】
次に、実施の形態１の表示装置１００を備えた飲料吐出装置１の動作を図９のフロー図を用いて説明する。
【００８０】
図９は、本開示の実施の形態１〜７の表示装置１００を備えた飲料吐出装置１の動作を示すフローチャートである。
【００８１】
ステップＳ１において、制御部６は、図３に示すように、第１の階層の複数の項目それぞれに対応する画像である、複数のアイコン（コーラアイコン１０、サイダーアイコン１
１、紅茶アイコン１２、ルートビアアイコン１３、烏龍茶アイコン１４及びトニックウォータアイコン１５）を、表示装置１００の表示部（本実施の形態では、タッチパネル５）に表示させる。そして、制御部６は、使用者が、表示装置１００の入力部（本実施の形態では、タッチパネル５）において、第１の階層の複数のアイコンのいずれかに触れるという入力操作が行われたか否かを判定する。制御部６が、使用者が第１の階層の複数のアイコンのいずれかに触れたと判定すると、ステップＳ２へ処理を進める。
【００８２】
ステップＳ２において、制御部６は、使用者が触れた（選択した）第１の階層のアイコンを、選択された状態であることを示す態様で、表示部に表示させる。例えば、本実施の形態では、上述したように、制御部６は、使用者により入力部（タッチパネル５）において行われる入力操作に基づき、選択されたと判定した第１の階層のアイコンの枠を点滅させて表示部（タッチパネル５）に表示させる。
【００８３】
そして、ステップＳ３において、制御部６は、第２の階層の複数の項目に対応する画像である、複数のアイコン（グレープアイコン１７、レモンアイコン１８及びオレンジアイコン１９）を、表示装置１００のタッチパネル５に表示させる。なお、このとき、制御部６は、図４に示すように、使用者により選択された第１の階層のアイコン、及び、第２の階層の複数の項目に対応する画像である複数のアイコンを、タッチパネル５に表示させている。
【００８４】
ステップＳ４において、制御部６は、タッチパネル５に触れていた使用者の指がタッチパネル５から放れていないと判定すると、ステップＳ５へ処理を進める。制御部６は、使用者の指がタッチパネル５から放れたと判定すると、ステップＳ１６へ処理を進める。
【００８５】
ステップＳ５において、制御部６は、タッチパネル５に触れていた使用者の指がタッチパネル５から放れずそのまま第２の階層のいずれかのアイコンまで動かされたと判定すると、ステップＳ６へ処理を進める。なお、本実施の形態では、制御部６は、以下のステップＳ６及びステップＳ７の処理を同時に行う。
【００８６】
ステップＳ６において、制御部６は、使用者により入力部（タッチパネル５）において行われる入力操作に基づき、選択されたと判定した第２の階層のアイコンの枠を点滅させて、表示部（タッチパネル５）に表示させる。
【００８７】
ステップＳ７において、制御部６は、第３の階層の複数の項目に対応する画像である、複数のアイコン（Ｓサイズアイコン２２、Ｍサイズアイコン２３及びＬサイズアイコン２４）を、表示部（タッチパネル５）に表示させる。このとき、制御部６は、図５に示すように、表示部（タッチパネル５）において、第３の階層の複数のアイコンを、選択された第２の階層のアイコン（画像）の周囲に、例えば、選択された第２の階層のアイコンに近接又は接触させて、表示させる。
【００８８】
ステップＳ８において、制御部６は、入力部（タッチパネル５）において、タッチパネル５に触れている使用者の指がタッチパネル５から放れないまま維持されるという入力操作が行われたと判定すると、ステップＳ９へ処理を進め、使用者の指がタッチパネル５から放れたと判定すると、ステップＳ１７へ処理を進める。
【００８９】
ステップＳ９において、制御部６は、入力部（タッチパネル５）において、タッチパネル５に触れている使用者の指がタッチパネル５から放れずそのまま第３の階層のいずれかのアイコンまで動かされるという入力操作が行われたと判定すると、ステップＳ１０へ処理を進める。なお、本実施の形態では、制御部６は、以下のステップＳ１０及びステップＳ１１の処理を同時に行う。
【００９０】
ステップＳ１０において、制御部６は、ステップＳ９における入力操作により、選択されたと判定した第３の階層のアイコンの枠を点滅させてタッチパネル５に表示させる。
【００９１】
ステップＳ１１において、制御部６は、ステップＳ９における入力操作により、選択されたと判定した第３の階層のアイコンの近傍に、飲料吐出方法メッセージ２５を表示させる。このとき、制御部６は、図６に示すように、飲料吐出方法メッセージ２５、例えば「再度押して飲料を吐出」というメッセージを、選択された第３の階層のアイコンの周囲に、例えば、選択された第３の階層のアイコンに近接又は接触させて、タッチパネル５に表示させる。
【００９２】
ステップＳ１２において、制御部６は、入力部（タッチパネル５）において、タッチパネル５に触れている使用者の指がタッチパネル５から放れるという入力操作が行われたと判定すると、ステップＳ１３へ処理を進める。
【００９３】
ステップＳ１３において、制御部６は、入力部（タッチパネル５）において、タッチパネル５におけるアイコンが表示されていない領域に使用者の指が触れるという入力操作が行われたと判定すると、ステップＳ２１へ処理を進め、そうでなければ、ステップＳ１４へ処理を進める。
【００９４】
ステップＳ１４において、制御部６は、入力部（タッチパネル５）において、使用者により選択された第３の階層のアイコンに再度使用者の指が触れる（再度押下）という入力操作が行われたと判定すると、ステップＳ１５へ処理を進め、そうでなければ、ステップＳ１３へ処理を戻す。
【００９５】
ステップＳ１５において、制御部６は、表示部（タッチパネル５）において、選択された第３の階層のアイコンの近傍に、吐出中メッセージ２６を表示させる。これとともに、制御部６は、飲料吐出装置１の供給制御部８を制御し、飲料供給部９を駆動させ、飲料吐出装置１において飲料の吐出を開始させる。このとき、制御部６は、図７に示すように、タッチパネル５において、吐出中メッセージ２６である「吐出中」というメッセージを、選択された第３の階層のアイコンの近傍に表示させる。制御部６は、飲料吐出装置１における飲料の吐出が終了したと判定すると、図３に示すような、第１の階層の複数の項目が表示された画面（初期画面）をタッチパネル５に表示させ、ステップＳ１に処理を戻す。
【００９６】
ステップＳ１６において、制御部６は、図１０に示すような、選択された第１の階層のアイコン（コーラアイコン１０）、及び、第２の階層の複数のアイコン並びに第３の階層の複数のアイコンを、選択された状態を示す態様（例えば、アイコンの枠を点滅）でタッチパネル５に表示させ、ステップＳ１７に処理を進める。
【００９７】
ステップＳ１７において、制御部６は、選択された第１の階層のアイコンに対応付けられて予め記憶部７に設定されているデフォルトのアイコンを自動的に選択する。
【００９８】
本実施の形態では、制御部６は、以下のステップＳ１８、ステップＳ１９及びステップＳ２０の処理を行う。
【００９９】
ステップＳ１８において、制御部６は、ステップＳ１７において選択されたデフォルトのアイコンの枠を点滅させてタッチパネル５に表示させる。
【０１００】
ステップＳ１９において、制御部６は、選択されたデフォルトの第３の階層のアイコンの近傍に、飲料吐出方法メッセージ２５を表示させる。
【０１０１】
ここで、ステップＳ１７及びステップＳ１８について、より具体的に説明する。ステップＳ１６からの処理の場合には、制御部６は、図１０に示すように、タッチパネル５に、第２の階層及び第３の階層それぞれの複数のアイコンを表示させ、且つ、第１の階層の選択されたアイコンのみ点滅させて表示させている。また、制御部６は、第２の階層及び第３の階層それぞれの複数のアイコンの内、第１の階層の選択されたアイコン（画像）に対応づけられて予め設定され、記憶部７に記憶されているデフォルトのアイコン（デフォルト設定）を選択する（ステップＳ１７）。そして、制御部６は、これらのデフォルトのアイコン（本実施の形態では、グレープアイコン１７及びＭサイズアイコン２３）をタッチパネル５において点滅表示させる（ステップＳ１８）。
【０１０２】
一方、ステップＳ８からの処理の場合には、制御部６は、タッチパネル５に、第１の階層で選択されたアイコン、並びに、第２の階層及び第３の階層それぞれの複数のアイコンを表示させ、且つ、第１の階層及び第２の階層においてそれぞれ選択されたアイコンのみ点滅表示させている。また、制御部６は、第３の階層の複数のアイコンの内、選択された第１の階層のアイコン及び第２の階層のアイコンに対応付けられて予め設定され、記憶部７に記憶されているデフォルトのアイコン（デフォルト設定）を選択する（ステップＳ１７）。そして、制御部６は、第３の階層のデフォルトのアイコン（本実施の形態では、Ｍサイズアイコン２３）をタッチパネル５において点滅表示させる（ステップＳ１８）。
【０１０３】
次に、ステップＳ２０において、制御部６は、各階層のアイコンに使用者の指が再度触れるという入力操作が行われた（選択された）と判定すると（ステップＳ２０でＹｅｓ）、ステップＳ１８に処理を戻し、再度触れられていない（選択されていない）と判定すると（ステップＳ２０でＮｏ）、ステップＳ１３に処理を進める。
【０１０４】
すなわち、本実施の形態の表示装置１００及び表示装置１００の表示方法では、各階層における複数の項目に対応する画像（アイコン）の選択の操作において、使用者が表示装置１００のタッチパネル５に表示されているアイコンをなぞるという入力操作をやめても（タッチパネル５から指を放しても）、再度、画像の選択が可能である。このような構成及び表示方法により、使用者は、選択を誤った場合でも、迅速且つ簡単に、所望の項目に対応する画像を選択しなおすことが可能となる。
【０１０５】
ステップＳ２１において、制御部６は、タッチパネル５において、上述した図６に示すような画面を表示させている状態から、薄暗い色の領域の表示（グレーアウト）を解除させ、図３に示すような、第１の階層の複数のアイコンが表示された画面（初期画面）を表示させ、ステップＳ１に処理を戻す。
【０１０６】
なお、図９のステップＳ１６〜ステップＳ２０の処理は、後述する実施の形態２にも関係する処理である。
【０１０７】
本実施の形態の表示装置１００及び表示装置１００の表示方法では、このようにして、各階層で、使用者がアイコンの選択を誤った場合であっても、簡単な操作で素早く初期画面（図３に示すような、第１の階層の複数の項目に対応する画像（アイコン）が表示された画面）に戻ることが可能である。
【０１０８】
なお、本実施の形態では、飲料を吐出する装置（飲料吐出装置１）を用いて表示装置１００及び表示装置１００の表示方法の一例を説明したが、これに限られない。すなわち、２つ以上の階層のメニューから複数の項目を選択することが可能な表示装置を有する装置であれば、飲料吐出装置に限定されず、切符の自動販売機、コンサートチケット等の自動販売機、並びに、テレビ及びブルーレイ（登録商標）レコーダ等の他の電子機器でも実施
可能である。
【０１０９】
（実施の形態２）
次に、本開示の実施の形態２の表示装置１００及び表示装置１００の表示方法について説明する。実施の形態２では、実施の形態１と飲料吐出装置１の外観及び内部構成を示すブロック図は同一であるため、これらの説明を省略する。
【０１１０】
本開示の実施の形態２の表示装置１００及び表示装置１００の表示方法では、使用者が、表示装置１００の入力部であるタッチパネル５において、第１の階層の複数の項目のいずれかをタッチしてから指を離すという入力操作を行うことにより、制御部により選択されたと判定された第１の階層の項目に対応付けられて予め設定されている（デフォルトの）第２の階層及び第３の階層それぞれの項目に対応する画像が選択される構成となっている。
【０１１１】
図１０は、本開示の実施の形態２の表示装置１００におけるタッチパネルの表示画面を示す図である。図１０は、制御部６が、表示装置１００の入力部（タッチパネル５）において、第１の階層のコーラアイコン１０に使用者の指が触れ、使用者が他のアイコンを選択せずそのまま指をタッチパネル５から離すという入力操作を行ったと判定したときに、表示装置１００の表示部（タッチパネル５）に表示される画面を示している。この場合、制御部６は、第１の階層で選択された画像（コーラアイコン１０）、並びに、第２の階層及び第３の階層それぞれの複数の項目に対応する複数の画像を、タッチパネル５に表示させる。このとき、第２の階層及び第３の階層それぞれで選択される画像は、第１の階層で選択された画像に対応する項目に対応づけられて、予め設定され、記憶部７に記憶され、且つ、制御部６により、選択される、所定の項目（例えば、グレープ及びＭサイズカップ）に対応する画像（例えば、グレープアイコン１７及びＭサイズアイコン２３）である。所定の項目は、制御部６が、表示装置１００のタッチパネル５（入力部）において、第１の階層の複数の項目に対応する画像のいずれかに使用者の指が触れ、使用者が他のアイコンを選択せずそのまま指をタッチパネル５から離すという入力操作を行ったと判定したときに、制御部６により、自動的に選択される。そして、制御部６により自動的に選択された所定の項目に対応する画像が、タッチパネル５（表示部）に表示される。所定の項目に対応する画像も、予め設定され、記憶部７に記憶されている。
【０１１２】
制御部６により自動的に選択された第２の階層及び第３の階層それぞれの所定の項目に対応する画像は、選択された状態であることを示す態様で、例えば、アイコンの枠が点滅されて、タッチパネル５に表示される。
【０１１３】
本実施の形態では、使用者により第１の階層で選択されたコーラアイコン１０に対応するコーラという項目に対応づけられて、予め設定され記憶部７に記憶されている所定の項目、すなわち、デフォルトの第２の階層のグレープという項目、及び、第３の階層のＭサイズという項目が、制御部６により自動的に選択される。そして、デフォルトの第２の階層のグレープという項目に対応するグレープアイコン１７という画像、及び、第３の階層のＭサイズという項目に対応するＭサイズアイコン２３という画像が、制御部６によりタッチパネル５（表示部）に表示される。
【０１１４】
そして、制御部６は、図１０に示すように、第１の階層で使用者により選択されたコーラアイコン１０に加えて、制御部６により自動的に選択されたデフォルトのグレープアイコン１７及びＭサイズアイコン２３を、選択された状態であることを示す態様、すなわち、それぞれのアイコンの枠を点滅させて、タッチパネル５に表示させる。
【０１１５】
上述の例における、コーラ、グレープ及びＭサイズカップという項目、並びに、これら
それぞれに対応する画像である、コーラアイコン１０、グレープアイコン１７及びＭサイズアイコン２３は、工場出荷時或いは使用者の設定により、互いに対応付けられて、予め設定されているデフォルト設定であり、記憶部７に記憶されている。ここで、互いに対応づけられて予め設定されているとは、例えば、表示装置１００のタッチパネル５（入力部）における所定の入力操作により、コーラアイコン１０が選択されたと制御部６が判定した場合、選択されたコーラアイコン１０（画像）に対応するコーラという項目に対応づけられて、グレープという項目及びＭサイズカップという項目が、制御部６により自動的に選択されるよう、予め設定されていることをいう。
【０１１６】
なお、このデフォルト設定は、使用者により、予め設定される項目及び画像を変更することが可能である。例えば、制御部６が、使用者により、第１の階層ではなく、第２の階層において、第２の階層の複数の項目に対応する画像のいずれかが選択されたと判定したときに、制御部６が、第２の階層で使用者により選択された画像に対応する項目に対応付けられて設定されている第３の階層のデフォルト設定を選択するなどのように、デフォルト設定を変更することも可能である。例えば、制御部６は、使用者により第２の階層でレモンアイコン１８が選択されたと判定すると、第２の階層のレモンアイコン１８という画像に対応付けられて記憶部７に記憶されている、デフォルト設定の第３の階層のＭサイズアイコン２３という画像を自動的に選択する。
【０１１７】
このように、本実施の形態の表示装置１００では、第１の階層の項目に対応する画像に対応づけられて、第１の階層より下位の階層である第２の階層及び第３の階層それぞれで選択される項目、及び、各項目に対応する画像が、デフォルト設定として予め設定され、記憶部７に記憶されている。上述したように、制御部６は、使用者が、表示装置１００のタッチパネル５（入力部）において、例えばコーラアイコン１０を選択してタッチパネル５から指を離すという入力操作を行ったと判定したとき、第１の階層のコーラアイコン１０という画像に対応する項目に対応付けられて、予めデフォルトで設定され、記憶部７に記憶されている所定の項目、すなわち、第２の階層のグレープという項目、及び、第３の階層のＭサイズカップという項目が、制御部６により自動的に選択される。そして、制御部６により、第２の階層のグレープという項目に対応するグレープアイコン１７という画像、並びに、第３の階層のＭサイズカップという項目に対応するＭサイズアイコン２３という画像が、制御部６によりタッチパネル５（表示部）に表示される。
【０１１８】
また、本実施の形態の表示装置１００では、第２の階層で選択された画像に対応する項目に対応付けられて、第２の階層より下位の階層である第３の階層の項目が、デフォルト設定として予め設定され、記憶部７に記憶されている。例えば、使用者が、タッチパネル５において、第１の階層でコーラアイコン１０を選択し、タッチパネル５から指を放さずに続けて第２の階層でグレープアイコン１７を選択するという入力操作を行った場合、タッチパネル５における入力操作に基づき、第１の階層のコーラアイコン１０という画像に対応するコーラという項目、及び、第２の階層のグレープアイコン１７に対応するグレープという項目に対応づけられて、予め設定され、記憶部７に記憶されている、第３の階層のＭサイズカップという項目が、制御部６により自動的に選択される。そして、第３の階層のＭサイズカップという項目に対応するＭサイズアイコン２３という画像が、制御部６によりタッチパネル５（表示部）に表示される。すなわち、第１の階層でコーラアイコン１０が選択され、第２の階層でグレープアイコン１７が選択されたときのデフォルト設定として、Ｍサイズアイコン２３が制御部６により自動的に選択されるよう、予め設定されている。
【０１１９】
このように、本実施の形態の表示装置１００及び表示装置１００の表示方法では、使用者が選択した画像を有する階層の下位の階層の項目が、予めデフォルトで設定され、記憶部７に記憶され、制御部６により、自動的に選択される。そして、制御部６により自動的
に選択される所定の項目に対応する画像が、タッチパネル５（表示部）に表示される。このような構成及び表示方法により、使用者は少ないタッチ回数で飲料を選択できるため、入力操作の手間及び時間を短縮させることができる。
【０１２０】
また、本実施の形態の表示装置１００及び表示装置１００の表示方法において、表示装置１００は、使用者が、タッチパネル５において、図１０に示すように、第１の階層のコーラアイコン１０をタッチし、第２の階層のいずれのアイコンも選択せずそのまま指をタッチパネル５から放し、第３の階層の複数の項目に対応する画像のいずれかを選択するという入力操作を行った場合は、第３の階層の選択された画像に対応付けられて、予めデフォルトで設定されている第２の階層の項目に対応する画像が、制御部６により自動的に選択されるよう構成されていてもよい。
【０１２１】
具体的には、使用者が、タッチパネル５において、コーラアイコン１０から指を放した後にグレープアイコン１７の近傍に表示されているＭサイズアイコン２３に触れるという入力操作を行うと、制御部６により、自動的にグレープアイコン１７が選択される。すなわち、本実施の形態の表示装置１００及び表示装置１００の表示方法では、使用者は一々、コーラアイコン１０、グレープアイコン１７及びＭサイズアイコン２３と順に選択せずとも、コーラアイコン１０とグレープアイコン１７の近傍に表示されているＭサイズアイコン２３の２つのみを選択するだけで、自動的にコーラアイコン１０、グレープアイコン１７及びＭサイズアイコン２３を全て選択することもできる。つまり、本実施の形態の表示装置１００及び表示装置１００の表示方法では、使用者が第１の階層の項目及び第３の階層それぞれの複数の項目に対応する画像のいずれかを選択すると、自動的に第２の階層の項目に対応する画像が選択される。この場合、例えば、コーラアイコン１０とＭサイズアイコン２３との間にはグレープアイコン１７しか存在しないため、使用者が予め第２の階層の項目を設定する必要はない。
【０１２２】
このような構成及び表示方法により、使用者は少ないタッチ回数で飲料を選択できるため、操作の手間及び時間を短縮させることができる。
【０１２３】
（実施の形態３）
次に、本開示の実施の形態３の表示装置１００及び表示装置１００の表示方法について説明する。実施の形態３では、実施の形態１と飲料吐出装置１の外観及び内部構成を示すブロック図は同一であるため、これらの説明を省略する。
【０１２４】
本開示の実施の形態３の表示装置１００及び表示装置１００の表示方法では、使用者が飲料の吐出に必要な項目の種類及び数などを変更することが可能である。
【０１２５】
図１１は、本開示の実施の形態３の表示装置１００におけるタッチパネルの表示画面を示す図である。より具体的には、図１１は、使用者により飲料の吐出に必要な項目の種類及び数などが変更された場合の表示装置１００のタッチパネル５の表示画面の一例を示している。
【０１２６】
本開示の実施の形態３の表示装置１００のタッチパネル５では、例えば、使用者が、第２の階層の混ぜ合わせる風味のメニューの選択を行わずに、第１の階層のベース飲料メニュー及び第３の階層のカップサイズメニューだけを選択できるようにすることも可能である。この場合、使用者が、図３に示すような第１の階層の複数の項目に対応する画像が表示されたタッチパネル５の画面において、コーラアイコン１０を選択すると、制御部６は、タッチパネル５から使用者によるコーラアイコン１０の入力操作があったと判定する。そして、制御部６は、図１１に示すように、タッチパネル５には、第２の階層の混ぜ合わせる風味メニューの複数の項目に対応する画像を表示させずに、第１の階層で選択された
コーラアイコン１０の周囲に、第３の階層の複数の項目に対応する画像である、複数のカップサイズのアイコン（Ｓサイズアイコン２２、Ｍサイズアイコン２３及びＬサイズアイコン２４）を表示させる。
【０１２７】
このように、本実施の形態の表示装置１００及び表示装置１００の表示方法では、例えば、使用者が常に飲料に混ぜ合わせる風味を入れない場合、すなわち、第２の階層の混ぜ合わせる風味メニューの選択が不要な場合には、使用者によるタッチパネル５における所定の入力操作に基づいて、第２の階層の混ぜ合わせる風味メニュー選択のための複数の項目に対応する画像（アイコン）をタッチパネル５に表示させないように設定することが可能である。なお、このような設定は、本実施の形態では、飲料を提供する店等が使用者のニーズに応じて設定することを想定しているが、使用者により設定されてもよい。
【０１２８】
また、本実施の形態の表示装置１００及び表示装置１００の表示方法では、使用者が、第２の階層の混ぜ合わせる風味メニューを混合させない飲料を、飲料吐出装置１で吐出させる場合においても、タッチパネル５における１回のタッチ操作（入力操作）で、第２の階層の混ぜ合わせる風味メニューを混合させない飲料を選択することが可能である。具体的には、第１の階層のベース飲料メニューの選択及び第３の階層のカップサイズの選択という２つの選択を、使用者が、タッチパネル５において、所望のベース飲料メニュー（例えばコーラアイコン１０）をタップし、そのまま所望のカップサイズ（例えばＭサイズアイコン２３）までなぞって離すという１回のタッチ操作（入力操作）を行うことで、第２の階層の混ぜ合わせる風味メニューを混合させない飲料を選択することが可能である。
【０１２９】
このような構成及び表示方法により、複数の階層の複数の項目から所望の項目を選択する際の入力操作の手間及び時間を短縮させることが可能になる。
【０１３０】
なお、本実施の形態の表示装置１００及び表示装置１００の表示方法では、第２階層の複数の項目をタッチパネル５に表示させない構成を例示したが、タッチパネル５に表示させない階層は、第３の階層又は第４の階層など他の階層であってもよく、第３の階層及び第４の階層などのように複数の階層を表示させない構成が採用されてもよい。
【０１３１】
（実施の形態４）
次に、本開示の実施の形態４の表示装置１００及び表示装置１００の表示方法について説明する。実施の形態４では、実施の形態１と飲料吐出装置１の外観及び内部構成のブロック図は同一であるため、これらの説明を省略する。
【０１３２】
図１２は、本開示の実施の形態４の表示装置１００のタッチパネルの表示画面を示す図である。
【０１３３】
本開示の実施の形態４の表示装置１００は、図１２に示すように、第２の階層の複数の項目に対応する複数の画像が、ミックスなしアイコン３７を有している。
【０１３４】
本開示の実施の形態４の表示装置１００において、使用者は、タッチパネル５に表示されている第２の階層の複数の項目に対応する画像のうちのミックスなしアイコン３７を選択することで、第１の階層で選択されたベース飲料メニューのみで、飲料吐出装置１において飲料を吐出させることが可能である。このような構成によっても、単飲料（１種類のメニューによる飲料）の選択が可能である。制御部６は、表示装置１００のタッチパネル５において、第２の階層のミックスなしアイコン３７が選択されたと判定したときは、飲料吐出装置１の供給制御部８及び飲料供給部９を制御することにより、飲料吐出装置１において、第１の階層で選択された画像に対応する項目のみで飲料を吐出させる。なお、制御部６は、表示装置１００のタッチパネル５において、ミックスなしアイコン３７が選択
されたと判定したとき、第３の階層の複数の項目に対応する画像である、複数のカップサイズアイコンを、第２の階層のミックスなしアイコン３７の周囲に表示させるよう構成されていてもよい。
【０１３５】
（実施の形態５）
次に、本開示の実施の形態５の表示装置１００及び表示装置１００の表示方法について説明する。実施の形態５では、実施の形態１と飲料吐出装置１の外観及び内部構成を示すブロック図は同一であるため、これらの説明を省略する。
【０１３６】
本開示の実施の形態５の表示装置１００及び表示装置１００の表示方法は、ある階層の複数の項目に対応する複数の画像が、複数のページに分けられて記憶部７に記憶されており、複数のページが順に切り換えられて表示部に表示されるよう構成されている。例えば、第２の階層の複数の項目が多数存在し、表示領域の限られたタッチパネル５に、一度に全ての画像を表示させることができないような場合に、本実施の形態は有効である。以下、具体的に説明する。
【０１３７】
図１３は、本開示の実施の形態５の表示装置１００のタッチパネル５の表示画面を示す図であり、図１４は、本開示の実施の形態５の表示装置１００のタッチパネル５の別の表示画面を示す図である。
【０１３８】
本実施の形態の表示装置１００は、第２の階層の複数の項目に対応する複数の画像として、アップルアイコン３９、オレンジアイコン１９、レモンアイコン１８、グレープアイコン１７、グレープフルーツアイコン４４及びメロンアイコン４３の項目を有している。
【０１３９】
制御部６は、使用者により、タッチパネル５において、第１の階層でコーラアイコン１０が選択されたと判定したとき、タッチパネル５に、第２の階層の複数の項目に対応する画像を表示するページが切り替えられることを示す表示を行う。具体的には、制御部６は、図１３に示すように、第１の階層で選択されたコーラアイコン１０に、ページ切替メッセージ３８（例えば、「タップでメニュー回転」）を表示させる。これとともに、制御部６は、第２の階層に他のページが存在することを示唆する態様（例えばアイコンを半透明で表示させる）で、タッチパネル５に第２の階層のアイコンを表示させる。なお、図１３においては、アイコンの枠を細かい点線で表示することにより、アイコンの枠が半透明で表示されていることを表している。
【０１４０】
制御部６は、図１３に示すように、タッチパネル５に、第２の階層の複数のアイコンが含まれる複数のページのうちの１ページ目を表示させる。第２の階層の１ページ目には、アップルアイコン３９、グレープアイコン１７、レモンアイコン１８及びオレンジアイコン１９が表示される。そして、制御部６は、これらのアイコンのうち、例えば、アップルアイコン３９の枠を半透明で表示させる。この状態で、制御部６は、使用者が、ページ切替メッセージ３８に従って、第１の階層で選択されたアイコン（図１３では、コーラアイコン１０）に再度触れる入力操作を行ったと判定したとき、タッチパネル５に表示させている第２の階層の１ページ目を、第２の階層の未表示の項目を含む他のページに切り替える。図１４に、使用者が、ページ切替メッセージ３８に従って、第１の階層で選択したコーラアイコン１０を再度触れたときの表示装置１００のタッチパネル５の表示状態を示す。
【０１４１】
図１４に示すように、表示装置１００のタッチパネル５には、第２の階層の混ぜ合わせる風味メニューの、複数の項目に対応する複数の画像を含む複数のページのうち、２ページ目が表示されている。本実施の形態では、第２の階層の２ページ目には、アップルアイコン３９、メロンアイコン４３、グレープフルーツアイコン４４、及びグレープアイコン
１７が表示される。これらのアイコンのうち、例えば、グレープアイコン１７の枠が半透明で表示されている。なお、図１４においては、アイコンの枠を細かい点線で表示することにより、アイコンが半透明で表示されていることを表している。
【０１４２】
第２の階層のアイコンのうち少なくとも１つのアイコンの枠、例えば、グレープアイコン１７の枠を半透明で表示させることにより、使用者が、ページ切替メッセージ３８に従って、第１の階層で選択したコーラアイコン１０を再度タップすることで、第２の階層の複数の項目の１ページ目、或いは３ページ目以降がある場合は３ページ目（及びそれ以降のページ）を、タッチパネル５に表示させることができることを示している。
【０１４３】
このように、本実施の形態の表示装置１００及び表示装置１００の表示方法では、１つの階層に設定される複数の項目の項目数が多い場合でも、複数の項目に対応する複数の画像が複数のページに分けられて、記憶部７に記憶されている。また、本実施の形態の表示装置１００及び表示装置１００の表示方法は、制御部６により、１つの階層に設定された複数の項目に対応する複数の画像を含む複数のページが、タッチパネル５に表示されている所定のアイコン（例えば、第１の階層で選択されたコーラアイコン１０）をタッチするという、使用者による簡単な入力操作により、切り替えられてタッチパネル５に表示されることができる。このような構成及び表示方法により、簡単に且つ迅速に、１つの階層に設定された多数の項目に対応する画像を、タッチパネル５に表示させることが可能となる。
【０１４４】
なお、本実施の形態の表示装置１００及び表示装置１００の表示方法では、使用者が第１の階層で選択したコーラアイコン１０をタップする度に、第２の階層の複数の項目の複数のページが切り換えられる構成及び表示方法を例示したが、これに限られず、タッチパネル５の他の表示領域又は他のアイコンなどをタップする度に、ページが切り換えられる構成及び表示方法でもよい。
【０１４５】
（実施の形態６）
次に、本開示の実施の形態６の表示装置１００及び表示装置１００の表示方法について説明する。実施の形態６では、実施の形態１と飲料吐出装置１の外観及びブロック図は同一であるため説明を省略する。
【０１４６】
本開示の実施の形態６の表示装置１００及び表示装置１００の表示方法では、表示装置１００のタッチパネル５に、炭酸濃度の設定バー４５が表示される。使用者がタッチパネル５において設定バー４５をタッチ又はなぞるという入力操作を行うことで、設定バー４５が選択される。
【０１４７】
本実施の形態の表示装置１００及び表示装置１００の表示方法では、図１５に示すように、制御部６は、タッチパネル５に、第２の階層で選択された項目に対応する画像（本実施の形態では、グレープアイコン１７）に近接させて、炭酸濃度の設定バー４５を表示させる。
【０１４８】
使用者は、表示装置１００のタッチパネル５に表示された炭酸濃度の設定バー４５を、上述した実施の形態１〜実施の形態５における各種アイコンと同様に、タッチ又はなぞるという入力操作を行うことで、選択することができる。本実施の形態における設定バー４５は、図１５に示すように、タッチパネル５に表示されるときのコントラストが、上部ほど濃く、下部ほど薄くなるよう構成されている。使用者により設定バー４５がタッチされることにより、任意の炭酸濃度が設定されることができる。
【０１４９】
例えば、制御部６は、使用者により、表示装置１００のタッチパネル５に表示されてい
る複数のアイコンから、グレープアイコン１７が選択されたと判定したとき、タッチパネル５において、グレープアイコン１７の隣に、炭酸濃度の設定バー４５を自動的に表示させる。そして、制御部６は、設定バー４５が使用者によりなぞられて設定バー４５から使用者の指が放されるという入力操作が行われた（設定された）と判定したとき、使用者により設定された濃度に応じて、炭酸濃度を設定する。
【０１５０】
本実施形態の表示装置１００及び表示装置１００の表示方法では、連続的な値の選択を可能とするために、設定バーが用いられているが、この限りではない。例えば、タッチパネル５に圧力センサ、ホバー検知、又は、設置面積検知などが設けられて、使用者の指の押し方により、設定値が変更される構成が採用されてもよい。
【０１５１】
（実施の形態７）
次に、本開示の実施の形態７の表示装置１００及び表示装置１００の表示方法について、図１６を用いて説明する。実施の形態７では、実施の形態１と飲料吐出装置１の外観及びブロック図は同一であるため説明を省略する。
【０１５２】
本開示の実施の形態７の表示装置１００及び表示装置１００の表示方法においては、複数のアイコンを表示させる際に、表示装置１００のタッチパネル５の画面からアイコンがはみ出ないようにするために、制御部６により、複数のアイコンがタッチパネル５の最適な領域に表示される。
【０１５３】
図１６は、本開示の実施の形態７の表示装置１００のタッチパネルの表示画面を示す図である。具体的には、図１６は、使用者が図３に示すような第１の階層の複数の項目に対応する画像が表示された画面（初期画面）で、トニックウォータアイコン１５を指でタッチして選択し、そのまま指をタッチパネル５から放さずに、第２の階層のグレープアイコン１７まで指でなぞってグレープアイコン１７を選択し、さらに続けて第３の階層のＭサイズアイコン２３まで指でなぞってＭサイズアイコン２３を選択した場合の、タッチパネル５の表示画面を示している。
【０１５４】
図１６に示すように、第１の階層において複数のアイコンからトニックウォータアイコン１５が選択された場合、実施の形態１において第１の階層の複数のアイコンからコーラアイコン１０が選択されたときと同じように第２の階層の複数の項目に対応する画像をトニックウォータアイコン１５の右側に表示させてしまうと、タッチパネル５の画面からアイコンがはみ出してしまう。このため、本実施の形態の表示装置１００は、制御部６が、自動的にタッチパネル５の空いている領域に、第２の階層の複数のアイコンを表示させるよう構成されている。
【０１５５】
図１６に示すように、制御部６が、図３に示すような第１の階層の複数の項目に対応する画像が表示された画面で、トニックウォータアイコン１５が使用者によりタッチされて選択されたと判定したとき、タッチパネル５において、トニックウォータアイコン１５の左側及び上側に、第２の階層の複数のアイコンである、オレンジアイコン１９、レモンアイコン１８及びグレープアイコン１７を表示させる。
【０１５６】
更に、制御部６は、使用者により、グレープアイコン１７が選択されたと判定したとき、グレープアイコン１７の上方に、第３の階層の複数のアイコンであるカップサイズのアイコン（Ｓサイズアイコン２２、Ｍサイズアイコン２３及びＬサイズアイコン２４）を表示させる。
【０１５７】
このように、本実施の形態の表示装置１００及び表示装置１００の表示方法では、使用者によりタッチパネル５に表示されている複数の項目からある項目に対応する画像が選択
されたとき、制御部６により、タッチパネル５の画面の空いている領域（アイコン等が表示されていない領域）に、下位の階層の複数のアイコン（画像）が表示される。このような構成及び表示方法により、タッチパネル５の限られた表示領域を有効活用して、複数の項目を表示させることが可能となる。
【０１５８】
なお、使用者により、トニックウォータアイコン１５以外の他の第１の階層のベース飲料メニューのアイコンが選択された場合も同様に、タッチパネル５の空いている領域に、制御部６により、第２の階層の複数の項目が表示される。このように、本実施の形態の表示装置１００及び表示装置１００の表示方法では、選択されたアイコンのタッチパネル５上の表示位置によって、下位の階層の複数のアイコンが表示される位置が適切に変更されることが可能である。
【０１５９】
（その他の実施の形態）
上述の各実施の形態における、飲料メニューの設定及び炭酸濃度などの設定は、上述の各実施の形態で説明した例に限られない。すなわち、飲料メニューの選択においては、３種類以上の飲料メニューが混ぜ合わせて作製される飲料を飲料吐出装置１において吐出させるために、３つ以上の階層が設定され、それぞれの階層の複数の項目に対応する画像が選択されることが可能なように、表示装置１００が構成されていてもよい。また、本開示の表示装置１００の表示方法は、３つ以上の階層が設定され、それぞれの複数の項目に対応する画像が選択されることができるステップを有していてもよい。また、炭酸濃度の設定などの各種設定においても、「氷あり、なし」のような設定を行うことが可能なように、表示装置１００が構成されていてもよい。また、本開示の表示装置１００の表示方法は、表示装置１００において、「氷あり、なし」のような他の設定を行うことが可能なステップを有していてもよい。
【０１６０】
また、上述の各実施の形態では、アイコンの形状は、円形状である場合を説明しているが、この限りではない。例えば、アイコンは、多角形の形状を有し、下位の階層のアイコンが、上位の階層で選択された多角形のアイコンの１辺に接して表示されるハニカム構造で表示されるよう構成されていてもよい。
【０１６１】
また、アイコンの順序、大きさ及び形状は、上述の各実施の形態で説明した例に限られない。例えば、使用頻度の高いものから順に、アイコンの順番を整列させてタッチパネル５の画面に表示させてもよい。また、表示装置１００において、制御部６が、特定の使用者を認識して、タッチパネル５の画面に表示されているアイコンの並べ方を、その特定の使用者により予め設定されたアイコンの並べ方に変更させて表示させてもよい。また、タッチパネル５の画面に表示されているアイコンの並べ方を、特定の使用者により予め設定されたアイコンの並べ方に変更して、タッチパネル５にアイコンを表示させるステップを、表示装置１００の表示方法が有していてもよい。
【０１６２】
また、上述の各実施の形態では、表示装置１００のタッチパネル５において、予め表示される位置が設定されている第１の階層の複数のアイコン（画像）が表示される位置を基準に、制御部６により、第２の階層のアイコンを第１の階層で選択されたアイコンに接触或いは近接した状態で表示させているが、これに限られない。例えば、使用者が触れたタッチパネル５上の任意の箇所（位置）を基準に、制御部６により、第１の階層の複数のアイコンが表示され、第１の階層で選択されたアイコンに近接或いは接触させて、第２の階層以降の複数のアイコンを表示させてもよい。
【０１６３】
また、上述の各実施の形態では、ベース飲料メニューを第１の階層、混ぜ合わせる風味メニューを第２の階層、及び、カップサイズメニューを第３の階層である場合を説明したが、複数の階層は、第１の階層から第３の階層までに限らず、第４以上の階層、すなわち
第ｎの階層（ｎは自然数）、設けられてもよい。また、請求の範囲において、第１の階層は、上述した各実施の形態において最初の階層として例示した、ベース飲料メニューを選択する階層に限定されるものではなく、上述した各実施の形態における第２の階層以降の任意の階層（例えば第３の階層等）を、第１の階層としてもよい。
【０１６４】
また、上述の各実施の形態における初期画面は、第１の階層の複数の項目が表示された画面に限られず、任意に設定されることができる。
【０１６５】
また、上述の各実施の形態では、表示装置１００のタッチパネル５に表示されるアイコン(画像)は、上位の階層から下位の階層に進む程、その大きさが小さく表示される例を示している（例えば図５参照）が、アイコンの大きさをどの階層においても変わらない（実質的に同一である）ように表示させてもよい。或いは、表示装置１００のタッチパネル５に表示されるアイコン(画像)は、上位の階層から下位の階層に進む程、その大きさが大きく表示されるよう構成されていてもよい。
【０１６６】
また、上述の各実施の形態では、使用者が指でタッチパネル５において入力操作を行う例を説明したが、指に限られず、使用者の他の身体部分でもよく、入力操作用のペン又はボールペンなどにより、入力操作が行われてもよい。
【０１６７】
また、上述の各実施の形態では、制御部６は、飲料吐出装置１の供給制御部８及び飲料供給部９等の制御、並びに、表示装置１００の表示部等の制御の両方を行うよう構成されているが、これに限られない。例えば、飲料吐出装置１の供給制御部８及び飲料供給部９等の制御と、表示装置１００の表示部等の制御とが、別々の制御部により行われてもよい。この場合、２つの制御部が、例えば、一方の制御に基づき、他方の制御が行われる等、互いに連携して制御を行うよう構成されていてもよいし、２つの制御部を統括する中央制御部が、表示装置１００が備えられた装置に別途設けられていてもよい。
【０１６８】
また、上述の各実施の形態では、飲料を吐出する装置（飲料吐出装置１）を用いて、本開示の表示装置１００及び表示装置１００の表示方法説明をしたが、これに限られない。２つ以上の階層を有し、それぞれの階層に設定される複数の項目から使用者が所望の項目を選択し、選択された複数の項目を組み合わせて所望の組み合わせを得ることが可能な表示装置を備えた装置であれば、本開示の技術思想が適用されることができる。例えば、切符の自動販売機、コンサートチケット等の自動販売機、各種設定を行う機能を有するテレビ及びブルーレイ（登録商標）レコーダ、パーソナルコンピュータ、並びに、冷蔵庫等、表示装置を有する他の電子機器でも、本開示の表示装置１００および表示装置１００の表示方法は、実施可能である。
【０１６９】
以上述べたとおり、本開示は、簡単且つ迅速に、複数の項目から所望の項目を選択し、選択された項目を組み合わせて所望の組み合わせを得るための操作を行えることが可能な表示装置及び表示装置の表示方法を提供する。よって、飲料吐出装置の他、切符の自動販売機、コンサートチケット等の自動販売機、各種設定を行う機能を有するテレビ及びブルーレイ（登録商標）レコーダ、パーソナルコンピュータ、並びに、冷蔵庫等、表示装置を有する他の電子機器等にも広く利用可能である。
【産業上の利用可能性】
【０１７０】
本発明の表示装置では、少ない操作ステップで操作を行えることが可能であり、飲料吐出装置や、切符の自動販売機、コンサートチケット等の自動販売機、各種設定を行う機能を有するテレビやブルーレイ（登録商標）レコーダー、パーソナルコンピュータ、冷蔵庫等、他の表示装置を有する電子機器に広く適用可能である。
【符号の説明】
【０１７１】
１  飲料吐出装置
２  筐体
３  飲料吐出口
４  受け皿
５  タッチパネル
６  制御部
７  記憶部
８  供給制御部
９  飲料供給部
１０  コーラアイコン
１１  サイダーアイコン
１２  紅茶アイコン
１３  ルートビアアイコン
１４  烏龍茶アイコン
１５  トニックウォータアイコン
１７  グレープアイコン
１８  レモンアイコン
１９  オレンジアイコン
２２  Ｓサイズアイコン
２３  Ｍサイズアイコン
２４  Ｌサイズアイコン
２５  飲料吐出方法メッセージ
２６  吐出中メッセージ
２７  吐出完了メッセージ
【図１】
2017134835.tif 000003
【図２】
2017134835.tif 000004
【図３】
2017134835.tif 000005
【図４】
2017134835.tif 000006
【図５】
2017134835.tif 000007
【図６】
2017134835.tif 000008
【図７】
2017134835.tif 000009
【図８】
2017134835.tif 000010
【図９】
2017134835.tif 000011
【図１０】
2017134835.tif 000012
【図１１】
2017134835.tif 000013
【図１２】
2017134835.tif 000014
【図１３】
2017134835.tif 000015
【図１４】
2017134835.tif 000016
【図１５】
2017134835.tif 000017
【図１６】
2017134835.tif 000018